(57)【特許請求の範囲】
【請求項１】
地盤を掘り下げて形成した地盤タンク部内に透水性補強シートを前記地盤タンク部の底部全面から側部周壁に敷設し、
前記透水性補強シートの前記地盤タンク部の底部全面に相当する部分の周辺部を残して前記透水性補強シート上に基礎を設け、
前記基礎上に貯留構造体を縦横及び上下方向に積み重ねて貯留槽を形成し、
前記地盤タンク部内に前記透水性補強シートの周辺部上及び前記貯留槽の周囲から上部までを埋め戻すことを特徴とする雨水等の貯留浸透施設施工工法。
【請求項２】
前記地盤タンク部内に前記透水性補強シートの周辺部上及び前記貯留槽の周囲から上部までを埋め戻し、
さらに別の透水性補強シートを前記地盤タンク部内の上方位置の全面に敷設して埋め戻すことを特徴とする請求項1に記載の雨水等の貯留浸透施設施工工法。
【請求項３】
前記基礎は、砕石層と、コンクリート層と、板状排水材からなる透水層とを下方から順に積層し、
前記コンクリート層に水抜き孔を設けたことを特徴とする請求項１または請求項２に記載の雨水等の貯留浸透施設施工工法。
【発明の詳細な説明】
【技術分野】
【０００１】
この発明は、住宅地、公園、駐車場や工場敷地等において雨水等を貯留並びに浸透させる地下貯水施設の施工工法であって、地下貯水施設の内部に貯留構造体を積層して施工した貯留槽が不等沈下などすることのない雨水等の貯留浸透施設施工工法に関する。
【背景技術】
【０００２】
近年、都市部では集中豪雨による家屋の浸水や河川の氾濫を防止するために、雨水等の貯留浸透施設が施工されている。地表面のほとんどが建物や舗装などの不浸透面で覆われている都市部では、雨水等は地下に浸透せず低地に流入して家屋を浸水させたり、河川を氾濫させる危険が高まっている。また、水の使用量が年々増大しており、水源地での降雨量が少ないと水不足となる危険がある。そのために洪水及び渇水対策として、雨水を一定時間貯留した後、河川等に順次放流したり、積極的に地下に浸透させることにより、雨水等による河川の氾濫、家屋の浸水災害を防止したり、さらに、一時貯留した雨水を汲み上げて利用するための雨水等の貯留浸透施設が施工されている。
【０００３】
このような雨水等の浸透施設として、例えば、特開２０００−１６０６０６号公報記載の「雨水貯留装置」、特開２００５−００２６２０号公報の「地下貯留及び／又は浸透槽」に記載されるものがある。これらの施設は、例えば地面を掘り下げてタンク部を構成し、このタンク部内に貯留槽が設けられる。
【先行技術文献】
【特許文献】
【０００４】
【特許文献１】特開２０００−１６０６０６号公報
【特許文献２】特開２００５−００２６２０号公報
【発明の概要】
【発明が解決しようとする課題】
【０００５】
このような雨水等の貯留浸透施設では、例えば粘性土などの地盤上に貯留構造体を積層して貯留槽を設置すると、貯留槽内の貯留水が地盤内に浸透し、この浸透した水が飽和状態になると地盤の支持力は急激に低下する。このため貯留槽の上載荷重を支持する地盤の支持力が不足することになり、貯留槽の不等沈下、傾き、倒壊などの現象が生じ、雨水等の貯留浸透施設が施された地盤や舗装が沈下したり、クラックが生じる虞がある。
【０００６】
この発明は、かかる現況に鑑みてなされたもので、雨水等の貯留浸透施設が施された地盤や舗装が沈下したり、クラックなどが生じる虞がない雨水等の貯留浸透施設施工工法を提供することを目的とする。
【課題を解決するための手段】
【０００７】
前記課題を解決し、かつ目的を達成するために、この発明は、以下のように構成した。
【０００８】
請求項１に記載の発明は、地盤を掘り下げて形成した地盤タンク部内に透水性補強シートを前記地盤タンク部の底部全面から側部周壁に敷設し、
前記透水性補強シートの前記地盤タンク部の底部全面に相当する部分の周辺部を残して前記透水性補強シート上に基礎を設け、
前記基礎上に貯留構造体を縦横及び上下方向に積み重ねて貯留槽を形成し、
前記地盤タンク部内に前記透水性補強シートの周辺部上及び前記貯留槽の周囲から上部までを埋め戻すことを特徴とする雨水等の貯留浸透施設施工工法である。
【００１０】
請求項２に記載の発明は、前記地盤タンク部内に前記透水性補強シートの周辺部上及び前記貯留槽の周囲から上部までを埋め戻し、
さらに別の透水性補強シートを前記地盤タンク部内の上方位置の全面に敷設して埋め戻すことを特徴とする請求項1に記載の雨水等の貯留浸透施設施工工法である。
【００１４】
請求項３に記載の発明は、前記基礎は、砕石層と、コンクリート層と、板状排水材からなる透水層とを下方から順に積層し、
前記コンクリート層に水抜き孔を設けたことを特徴とする請求項１または請求項２に記載の雨水等の貯留浸透施設施工工法である。
【発明の効果】
【００１７】
前記構成により、この発明は、以下のような効果を有する。
【００１８】
請求項１乃至請求項３に記載の発明では、地盤を掘り下げて形成した地盤タンク部内に透水性補強シートを地盤タンク部の底部全面から側部周壁に敷設し、透水性補強シートの地盤タンク部の底部全面に相当する部分の周辺部を残し、透水性補強シート上に基礎を設け、基礎上に貯留構造体を縦横及び上下方向に積み重ねて貯留槽を形成し、地盤タンク部内に透水性補強シートの周辺部上及び貯留槽の周囲から上部までを埋め戻すことで、例えば粘性土地盤上に貯留構造体を積層して貯留槽を設置することがあっても、貯留槽内の貯留水が地盤内に浸透して地盤強度が低下することを透水性補強シートにより防止し、しかも地盤を透水性補強シートが貯留槽の上載荷重を分散することから貯留槽の不等沈下、傾き、倒壊などを防止し、雨水等の貯留浸透施設が施された地盤や舗装が沈下したり、クラックが生じることがないようにすることができる。また、地震や大型車両の走行時に発生する横揺れ対策にも有効であり、雨水等の貯留施設並びに浸透施設の耐震性能が向上する。
【図面の簡単な説明】
【００１９】
【図１】透水性補強シートの敷設を示す図である。
【図２】貯留槽の基礎の施工を示す図である。
【図３】貯留槽の形成を示す図である。
【図４】埋め戻しを示す図である。
【図５】他の埋め戻しを示す図である。
【発明を実施するための形態】
【００２０】
以下、この発明の雨水等の貯留浸透施設施工工法の実施の形態について説明する。この発明の実施の形態は、発明の最も好ましい形態を示すものであり、この発明はこれに限定されない。
【００２１】
この実施の形態の雨水等の貯留浸透施設施工工法は、住宅地、公園、駐車場や工場敷地等において雨水等を貯留並びに浸透させる地下貯水施設の施工工法である。
【００２２】
（透水性補強シートの敷設）
透水性補強シートの敷設を図１に示す。地盤１を掘り下げて地盤タンク部２を形成し、この地盤タンク部２内に透水性補強シート１０を敷設する。地盤１は、特に限定されないが、Ｎ値５〜２０の地盤である。Ｎ値は、標準貫入試験の測定値である。重量６３．５Ｋｇのハンマを７５ｃｍの高さから自由落下させ、標準貫入試験用サンプラーを地中に３０ｃｍ打ち込むために要する打撃回数で示される。
【００２３】
透水性補強シート１０は、地盤タンク部２の底部全面２ａに敷設するが（図１（ａ））、また地盤タンク部２の左右幅によっては底部全面２ａから側部周壁２ｂに敷設し（図１（ｂ））、また地盤タンク部２の底部全面２ａから側部周壁２ｂ、さらに上部全面に敷設してもよい（図１（ｃ））。透水性補強シート１０の敷設は、透水性補強シート１０が１枚のものでもよく、複数枚を重ねて接続したものでもよい。また、透水性補強シート１０の表面積は、貯留槽の設置面積より大きく、さらに貯留槽の上載荷重などによって設定される。
【００２４】
（透水性補強シートの構造）
透水性補強シート１０は、材質が化学繊維、天然繊維、ガラス繊維などであり、形状は織布、不織布、網目などであり、引っ張り強度；２０ＫＮ／ｍ２〜６０ＫＮ／ｍ２、伸び率；２０％以内、目合い；５ｍｍ〜３０ｍｍのものが用いられる。
【００２５】
（貯留槽の基礎）
貯留槽の基礎の施工を図２に示す。基礎２０は、透水性補強シート１０上設け、砕石層２１と、コンクリート層２２と、透水層２２とを下方から順に積層して施工する。コンクリート層２２には水抜き孔２２ａを設け、コンクリート層２２によって基盤２０の強度を確保し、かつ水を水抜き孔２２ａによって下方へ流す。透水層２２は、板状排水材または不織布を、コンクリート層２２の全面に敷設した構成であり、透水層２２の引っ張り強度；３００ＫＮ／ｍ２以上であり、透水性と貯留槽の荷重を受ける所定の強度を有することが好ましい。
【００２６】
（貯留槽の形成）
貯留槽の形成を図３に示す。透水性補強シート１０上に設けた基礎２０上に貯留槽３０を形成する。貯留槽３０は、貯留構造体３１を縦横及び上下方向に積み重ねて形成し、貯留構造体３１は、雨水等の貯留及び浸透するものであり、例えば開口部を有する容器形貯留構造体（例えば、特公平４−２６６４８号公報、特開平９−１１２７９２号公報）、支柱を充填体によって連結してなる櫓形貯留構造体（例えば、特許第３２０８３７９号公報、特開平１０−１９５９３７号公報）、さらに、傾斜板に補強リブを設けてなる枠形貯留構造体等種々の構造のものを用いることができる。
【００２７】
（埋め戻し）
埋め戻しを図４及び図５に示す。基礎２０上に貯留槽３０を形成すると、貯留槽３０の周囲から上部までを埋め戻す。この埋め戻しは、図４（ａ），（ｂ）では、貯留槽３０の周囲から上部の地盤１の表面まで埋め戻し、この埋め戻し土５０の上に、例えば舗装６０を行うが、図５（ａ），（ｂ）では、貯留槽３０の周囲から上部の所定位置まで埋め戻し、透水性補強シート１０を上方位置の全面に敷設し、この透水性補強シート１０上にさらに埋め戻し、この埋め戻し土５０の上に、例えば舗装６０を行う。貯留槽３０の上方位置の全面に敷設した透水性補強シート１０は、舗装６０に対する補強として機能する。また、図４（ｃ）では、貯留槽３０の周囲から上部の所定位置まで埋め戻し、透水性補強シート１０を上方位置の全面に敷設し、この透水性補強シート１０上にさらに埋め戻し、この埋め戻し土５０の上に、例えば舗装６０を行う。
【００２８】
（雨水等の貯留浸透施設）
この実施の形態の雨水等の貯留浸透施設は、地盤１を掘り下げて形成した地盤タンク部２内に透水性補強シート１０を敷設することで、例えば粘性土の地盤上に貯留構造体３１を積層して貯留槽３０を設置することがあっても、貯留槽３０内の貯留水が地盤１内に浸透して地盤強度が低下することを透水性補強シートにより防止する。
【００２９】
すなわち、透水性補強シート１０を、地盤タンク部２の底部全面２ａに敷設した実施の形態においては、底部全面２ａから貯留槽３０内の貯留水が地盤１内に浸透して地盤強度が低下することを防止する（図４（ａ））、（図５（ａ））。透水性補強シート１０を、地盤タンク部２の底部全面２ａから側部周壁２ｂに敷設した実施の形態においては、底部全面２ａ及び側部周壁２ｂから貯留槽３０内の貯留水が地盤１内に浸透して地盤強度が低下することを防止する（図４（ｂ），（ｃ））、（図５（ｂ））。
【００３０】
このように、貯留槽３０内の貯留水が地盤１内に浸透して地盤強度が低下することを透水性補強シートにより防止することができ、しかも地盤１を透水性補強シート１０が補強して貯留槽３０の上載荷重を分散することができる。したがって、貯留槽３０の不等沈下、傾き、倒壊などを防止し、雨水等の貯留浸透施設が施された地盤１や舗装６０が沈下したり、クラックが生じることがないようにすることができる。また、地震や大型車両の走行時に発生する横揺れ対策にも有効であるから、雨水等の貯留施設並びに浸透施設の耐震性能が向上する。
【産業上の利用可能性】
【００３１】
この発明は、住宅地、公園、駐車場や工場敷地等において雨水等を貯留並びに浸透させる地下貯水施設であって、地下貯水施設の内部に貯留構造体を積層して施工した貯留槽が不等沈下などすることのない雨水等の貯留浸透施設施工工法に適用可能であり、雨水等の貯留浸透施設が施された地盤や舗装が沈下したり、クラックなどが生じる虞がない。
【符号の説明】
【００３２】
１  地盤
２  地盤タンク部
２ａ  地盤タンク部２の底部全面
２ｂ  地盤タンク部２の側部周壁
２ｃ  地盤タンク部２の上部全面
１０  透水性補強シート
２０  基礎
２１  砕石層
２２  コンクリート層
２２ａ  水抜き孔
３０  貯留槽
３１  貯留構造体
５０  埋め戻し土
６０  舗装
【図１】
0005660576.tif 000002
【図２】
0005660576.tif 000003
【図３】
0005660576.tif 000004
【図４】
0005660576.tif 000005
【図５】
0005660576.tif 000006